(57)【要約】【課題】基板ケースを取り外したときにその痕跡が残るようにすることで、基板ケースに対する不正行為の抑止を図った箱形遊技機を提供する。【解決手段】本発明に係る箱形遊技機では、ベース部材６０と、キャビネットボックス１の内側から挿入口１６ａを塞ぐカバー部材６５と、ベース部材６０にカバー部材６５が装着された状態を保持する装着保持機構７０とを備え、装着保持機構７０は、ベース部材６０に繋がるベース側係合部７１とカバー部材６５に繋がるカバー側係合部７３とを接続部材７５を介して係合させることでベース部材６０にカバー部材６５が装着された状態を保持し、ベース側係合部７１と係合したカバー側係合部７３におけるカバー部材６５との連結部７４を切断することでベース部材６０からカバー部材６５を外すことができるように構成される。【選択図】図１０
2009061041.tif 000002
【特許請求の範囲】
【請求項１】
前面側に開口を有する箱状に形成された箱状本体部材と、前記箱状本体部材に対して前記開口を開閉可能に取り付けられた開閉部材と、前記箱状本体部材の内側において前記開口と反対側に位置する背面部に固定されたホルダ部材と、前記ホルダ部材に着脱自在に装着保持される基板ケースとを備えた箱形遊技機において、
前記基板ケースの内部に前記箱形遊技機に搭載された電子部品を制御する制御基板が収容され、
前記基板ケースは、前記箱状本体部材の天部に形成された挿入口より前記箱状本体部材の外側から内側に挿入されることで前記ホルダ部材に装着され、前記ホルダ部材は、前記ホルダ部材に装着された前記基板ケースの前方への脱着を規制するように構成されており、
前記背面部における前記天部と前記ホルダ部材に装着された前記基板ケースとの間の部分に設けられるベース部材と、
前記開口を通じて前記ベース部材に着脱自在に装着され前記箱状本体部材の内側から前記挿入口を塞ぐカバー部材と、
前記ベース部材に前記カバー部材が装着された状態を保持する装着保持機構とを備え、
前記装着保持機構は、前記ベース部材に設けられたベース側係合部と、前記カバー部材に設けられたカバー側係合部とを有し、
前記ベース側係合部と前記カバー側係合部とを係合させることで前記ベース部材に前記カバー部材が装着された状態を保持し、前記ベース部材から前記カバー部材を外したときに前記外した痕跡が残るように構成されることを特徴とする箱形遊技機。
【請求項２】
前記装着保持機構は、前記ベース部材に連結して設けられた前記ベース側係合部と、前記カバー部材に連結して設けられた前記カバー側係合部と、前記ベース側係合部と前記カバー側係合部とを係合させる接続部材とを有し、
前記ベース側係合部および前記カバー側係合部が複数組設けられて、少なくともいずれか一組の前記ベース側係合部と前記カバー側係合部とを前記接続部材を介して係合させることで前記ベース部材に前記カバー部材が装着された状態を保持し、前記接続部材を介して係合した前記ベース側係合部および前記カバー側係合部の少なくともいずれかにおける前記ベース部材もしくは前記カバー部材との連結部を切断することで前記ベース部材から前記カバー部材を外すことができるように構成されることを特徴とする請求項１に記載の箱形遊技機。
【発明の詳細な説明】
【技術分野】
【０００１】
本発明は、スロットマシンや雀球遊技機等に代表される箱形遊技機に関する。
【背景技術】
【０００２】
スロットマシンや雀球遊技機等の箱形遊技機では、遊技機の作動を制御する制御基板が設けられている。例えばスロットマシンでは、キャビネットボックスとも称される箱形の本体部材の内側に制御基板が取り付けられている。この制御基板はメダルの払出制御やリールの回転制御等といったスロットマシンの作動を制御する基板であり、遊技機の制御ソフトウェアが記録されたＲＯＭが搭載されて遊技機の作動を制御する中枢制御装置としての役割を有している。このため、制御基板は偽造ＲＯＭへの差し替え等の不正改造を受け難いように基板ケース内に収容されるとともに、この基板ケースはケースを開いたときにその痕跡が残るような不正開放防止手段が設けられて構成されている。
【０００３】
このような基板ケースは、箱状本体部材の内側（背面側）に固定された装着部材に着脱可能に装着されるが、基板ケースが不正に取り外されるのを確実に防止するため、スロットマシンの天板を開閉可能に形成し、スロットマシンの上方から開放された天板部分を介して基板ケースを装着部材にスライド装着させ、開放された天板部分を介してのみ基板ケースの着脱を許可したスロットマシンが考案されている（例えば、特許文献１を参照）。これにより、スロットマシンが遊技島に設置された状態では、基板ケースを不正に取り外すのが極めて困難となる。
【特許文献１】特開２００７−８２７０３号公報
【発明の開示】
【発明が解決しようとする課題】
【０００４】
しかしながら、上述のような構成のスロットマシンにおいては、基板ケースを取り外したときにその痕跡が残らないという問題があった。また、基板ケースを取り外して制御基板の保守点検作業等を行ったときに、基板ケースを取り外した履歴を把握できないという問題もあった。
【０００５】
本発明は、このような問題に鑑みてなされたものであり、基板ケースを取り外したときにその痕跡が残るようにすることで、基板ケースに対する不正行為の抑止を図った箱形遊技機を提供することを目的とする。
【課題を解決するための手段】
【０００６】
このような目的を達成するため、本発明では、前面側に開口を有する箱状に形成された箱状本体部材（例えば、実施形態におけるキャビネットボックス１）と、前記箱状本体部材に対して前記開口を開閉可能に取り付けられた開閉部材（例えば、実施形態における前面扉２）と、前記箱状本体部材の内側において前記開口と反対側に位置する背面部に固定されたホルダ部材と、前記ホルダ部材に着脱自在に装着保持される基板ケースとを備えた箱形遊技機（例えば、実施形態におけるスロットマシンＳＭ）において、前記基板ケースの内部に前記箱形遊技機に搭載された電子部品を制御する制御基板が収容され、前記基板ケースは、前記箱状本体部材の天部（例えば、実施形態における天板１６）に形成された挿入口より前記箱状本体部材の外側から内側に挿入されることで前記ホルダ部材に装着され、前記ホルダ部材は、前記ホルダ部材に装着された前記基板ケースの前方への脱着を規制するように構成されている。
【０００７】
そして、前記背面部における前記天部と前記ホルダ部材に装着された前記基板ケースとの間の部分に設けられるベース部材と、前記開口を通じて前記ベース部材に着脱自在に装着され前記箱状本体部材の内側から前記挿入口を塞ぐカバー部材と、前記ベース部材に前記カバー部材が装着された状態を保持する装着保持機構とを備え、前記装着保持機構は、前記ベース部材に設けられたベース側係合部と、前記カバー部材に設けられたカバー側係合部とを有し、前記ベース側係合部と前記カバー側係合部とを係合させることで前記ベース部材に前記カバー部材が装着された状態を保持し、前記ベース部材から前記カバー部材を外したときに前記外した痕跡が残るように構成される。
【０００８】
なお、上述の発明において、前記装着保持機構は、前記ベース部材に連結して設けられた前記ベース側係合部と、前記カバー部材に連結して設けられた前記カバー側係合部と、前記ベース側係合部と前記カバー側係合部とを係合させる接続部材とを有し、前記ベース側係合部および前記カバー側係合部が複数組設けられて、少なくともいずれか一組の前記ベース側係合部と前記カバー側係合部とを前記接続部材を介して係合させることで前記ベース部材に前記カバー部材が装着された状態を保持し、前記接続部材を介して係合した前記ベース側係合部および前記カバー側係合部の少なくともいずれかにおける前記ベース部材もしくは前記カバー部材との連結部を切断することで前記ベース部材から前記カバー部材を外すことができるように構成されることが好ましい。
【発明の効果】
【０００９】
本発明によれば、装着保持機構は、ベース側係合部とカバー側係合部とを係合させることでベース部材にカバー部材が装着された状態を保持し、ベース部材からカバー部材を外したときに当該外した痕跡が残るように構成される。ところで、基板ケースをホルダ部材から取り外すには、まず、挿入口を塞ぐカバー部材をベース部材から外さなければならず、上述のように、ベース部材からカバー部材を外したときにその痕跡が残るため、結果として基板ケースを取り外したときにその痕跡が残ることになり、基板ケースに対する不正行為を抑止することが可能になる。
【００１０】
またこのとき、複数組設けられたベース側係合部およびカバー側係合部のうち、接続部材を介して係合したベース側係合部およびカバー側係合部の少なくともいずれかにおけるベース部材もしくはカバー部材との連結部を切断することで、ベース部材からカバー部材を外すことができるようにすれば、同一のベース部材およびカバー部材を使用して、基板ケースを複数回取り外すことができるとともに、基板ケースを取り外した履歴を把握することも可能になる。
【発明を実施するための最良の形態】
【００１１】
以下、本発明の好ましい実施形態について図面を参照しながら説明する。本発明に係る箱形遊技機の代表例としてスロットマシンＳＭを図１に示しており、まず、これらの図面を参照しながらスロットマシンＳＭの全体構成について要約説明する。ここで、図１（ａ）はスロットマシンＳＭの正面図、図１（ｂ）は前面扉２を取り外した状態のスロットマシンＳＭの正面図である。
【００１２】
スロットマシンＳＭは、前面側（前方）に開口を有する箱状のキャビネットボックス１と、キャビネットボックス１の開口を覆って開閉可能に取り付けられた前面扉２とからなる筐体３を有し、この筐体３の各部に種々の遊技構成機構を配設して構成される。前面扉２は、キャビネットボックス１および前面扉２の互いの左側縁に配設された上下のヒンジ機構（図示せず）により横開き開閉可能に取り付けられ、常には右側縁に設けられた施錠装置４を利用してキャビネットボックス１に閉鎖施錠された状態で保持される。
【００１３】
キャビネットボックス１の内部には、第１〜第３リール１１ａ〜１１ｃを有して構成される回転リール装置１１、遊技メダル払出装置１２、電源装置１３、遊技メダル補助収納庫１４、およびメイン基板アセンブリ１５等が図示のように配設されている。一方、前面扉２には、図柄表示を行うための表示窓２１、スタートレバー２２、停止ボタン２３、メダル投入口２４、メダル払出口２５、およびメダル払出口２５から払い出されるメダルを受容する受け皿２６等が図示にように設けられている。なお前述のように、キャビネットボックス１に前面扉２がヒンジ接続されており、キャビネットボックス１から前面扉２に延びる電気配線が設けられているが、図１ではこの配線を省略している。
【００１４】
キャビネットボックス１は、上側に位置する天板１６、左右の側板１７ａ，１７ｂ、下側に位置する底板１８、開口と反対側に位置する背面板１９等の壁面部材を箱状に組み立てて構成されており、例えば、パーチクルボードの定尺板材を、切断、孔あけ、溝切り加工等して所定形状に成形し、これにメタルブッシュ（鬼目ナット）の打ち込み等を行って壁面部材を形成した後、各部材１６〜１９を接着剤やネジ等の接合手段により接合して、前面側に開口を有する箱状に組み立てて構成される。
【００１５】
メイン基板アセンブリ１５は、図３に示すように、ケース本体部材５２および、当該ケース本体部材５２に開閉自在に取り付けられたケース蓋部材５３からなる基板ケース５１と、この基板ケース５１の内部に収容されたメイン制御基板５４とを有して構成され、不正開放防止機構５５を用いて基板ケース５１が閉止保持されるようになっている。ここで、メイン制御基板５４は、ＲＯＭ（図示せず）等の電子部品やプリント基板等から構成され、遊技メダル払出装置１２のメダル払出制御や、回転リール装置１１の回転制御等を行う。そして、メイン基板アセンブリ１５は、キャビネットボックス１の背面板１９に取り付け固定された左右一対の第１および第２ホルダ部材５６，５７に着脱自在に装着されるようになっている。
【００１６】
第１および第２ホルダ部材５６，５７は、図２に示すように、基板ケース５１（メイン基板アセンブリ１５）の左側および右側部分をそれぞれ保持可能な上下に延びる板状に形成され、ネジ等の固定手段を用いてキャビネットボックス１の背面板１９に取り付け固定される。また、第１および第２ホルダ部材５６，５７は、基板ケース５１の左側および右側部分を保持するときにその前面側を覆うため、第１および第２ホルダ部材５６，５７に装着された基板ケース５１の前方への脱着が規制されることになり、基板ケース５１の上方以外への移動が規制される。なお、第１および第２ホルダ部材５６，５７を一体に形成するようにしてもよい。
【００１７】
ところで、キャビネットボックス１の天板１６には、図７に示すように、メイン基板アセンブリ１５（基板ケース５１）とほぼ同じ大きさを有する挿入口１６ａが形成される。そして、この挿入口１６ａを通じてメイン基板アセンブリ１５をキャビネットボックス１の外側から内側に（下方へ）挿入することで、メイン基板アセンブリ１５がキャビネットボックス１内の第１および第２ホルダ部材５６，５７にスライド装着されるようになっている。一方、第１および第２ホルダ部材５６，５７に装着されたメイン基板アセンブリ１５を、挿入口１６ａを通じてキャビネットボックス１の内側から外側に（上方へ）引き出すことで、第１および第２ホルダ部材５６，５７からメイン基板アセンブリ１５を取り外すことができる。
【００１８】
上述のようにしてメイン基板アセンブリ１５が第１および第２ホルダ部材５６，５７に装着された状態で、図２および図３に示すように、背面板１９における天板１６とメイン基板アセンブリ１５との間の部分にベース部材６０が取り付けられ、このベース部材６０に挿入口１６ａを塞ぐためのカバー部材６５が装着保持機構７０により装着されて保持されるようになっている。ベース部材６０は、図４に示すように、樹脂材料を用いて板状に形成され、図９に示すように、ネジ６２等の固定手段を用いて背面板１９における天板１６とメイン基板アセンブリ１５との間の部分に取り付け固定される。なお、ベース部材６０の四隅には、ネジ６２を挿通させるための取付穴６１がそれぞれ形成されている（図４を参照）。
【００１９】
カバー部材６５は、図５および図１０に示すように、樹脂材料を用いて、鉛直面内で延びる板状の壁部６６と、水平面内で延びる板状の庇部６８とを有する逆Ｌ字アングル形に形成され、装着保持機構７０を用いてベース部材６０に装着保持されるようになっている。壁部６６の中央部には、装着保持機構７０のカバー側係合部７３を収容するための穴部６７が形成される。また、カバー部材６５における穴部６７の左右にそれぞれ段差が形成され、ベース部材６０の左右端部近傍を覆うようになっている（図２を参照）。これにより、背面板１９に対するベース部材６０の取り付け部分（ネジ６２等）がカバー部材６５に覆われるため、ベース部材６０ごとカバー部材６５が不正に外されてしまうのを防止することができる。庇部６８は、キャビネットボックス１（天板１６）の挿入口１６ａよりも若干大きめに形成され、キャビネットボックス１の内側から挿入口１６ａを塞ぐようになっている（図３を参照）。
【００２０】
装着保持機構７０は、図３および図１０に示すように、ベース部材６０に連結して設けられたベース側係合部７１と、カバー部材６５に連結して設けられたカバー側係合部７３と、ベース側係合部７１とカバー側係合部７３とを係合させる接続部材７５とを有して構成される。ベース側係合部７１は、図４に示すように、板状のベース部材６０から前方に突出する円筒状に形成される。一方、カバー側係合部７３は、図３および図５に示すように、前端に底部を有して前後方向に延びる円筒状に形成され、カバー部材６５の穴部６７内に位置するとともに、細長い棒状の連結部７４を介してカバー部材６５の壁部６６と連結されている。なお、ベース側係合部７１は、ベース部材６０の前面側に左右に４つ並んで形成され、カバー側係合部７３は、各ベース側係合部７１とそれぞれ係合可能なように左右に４つ並んで形成される。すなわち、ベース側係合部７１およびカバー側係合部７３は、４組設けられることになる。
【００２１】
接続部材７５は、図６に示すように、樹脂材料を用いて一端に底部を有する円筒状に形成される。接続部材７５の外周面には、接続部材７５の他端側において互いに１８０度離れた２箇所に第１係合突起７６，７６が（外周面より）外方に突出して形成され、接続部材７５の一端側において第１係合突起７６，７６から９０度だけ回転した２箇所に第２係合突起７７，７７が外方に突出して形成される。
【００２２】
以上のように構成されたスロットマシンＳＭにおいて、メイン基板アセンブリ１５を第１および第２ホルダ部材５６，５７に装着させるには、図７に示すように、挿入口１６ａを通じてメイン基板アセンブリ１５をキャビネットボックス１の外側から内側に（下方へ）挿入し、基板ケース５１の左側および右側部分を第１および第２ホルダ部材５６，５７にスライド係合させる。これにより、メイン基板アセンブリ１５が第１および第２ホルダ部材５６，５７に装着される。
【００２３】
このときさらに、図８に示すように、キャビネットボックス１の開口側から、ベース部材６０を背面板１９における天板１６と第１および第２ホルダ部材５６，５７に装着されたメイン基板アセンブリ１５との間の部分に取り付ける。続いて、図９に示すように、キャビネットボックス１の開口側から、接続部材７５の他端側を（例えば、一番左側の）ベース側係合部７１の内部空間に挿入する。このとき、接続部材７５の第１係合突起７６，７６は、ベース側係合部７１に押圧されて結合部材７５の内側に向け弾性変形する。そのため、接続部材７５をベース側係合部７１の内部空間に挿入するために大きな押し込み力を必要とするが、一旦押し込んだ後は、接続部材７５を取り外すのが困難となり、接続部材７５の他端側を確実にベース側係合部７１と係合させることが可能になる。
【００２４】
次に、図１０に示すように、キャビネットボックス１の開口側からカバー部材６５をベース部材６０に装着し、ベース側係合部７１と係合して露出する接続部材７５の一端側を（例えば、一番左側の）カバー側係合部７３の内部空間に挿入して、接続部材７５を介してベース側係合部７１とカバー側係合部７３とを係合させる。このとき、接続部材７５の第２係合突起７７，７７は、カバー側係合部７３に押圧されて結合部材７５の内側に向け弾性変形する。そのため、接続部材７５をカバー側係合部７３の内部空間に挿入するために（カバー側係合部７３に対し）大きな押し込み力を必要とするが、一旦押し込んだ後は、接続部材７５を取り外すのが困難となり、接続部材７５の一端側を確実にカバー側係合部７３と係合させることが可能になる。
【００２５】
このようにして、図２および図３に示すように、接続部材７５を介してベース側係合部７１とカバー側係合部７３とが係合し、装着保持機構７０によりカバー部材６５がベース部材６０に装着保持され、カバー部材６５の庇部６８により内側からキャビネットボックス１の挿入口１６ａが塞がれた状態となる。これにより、キャビネットボックス１の挿入口１６ａが塞がれた状態で、メイン基板アセンブリ１５が第１および第２ホルダ部材５６，５７に装着保持され、メイン基板アセンブリ１５が挿入口１６ａから不正に取り外されるのが防止される。また、第１および第２ホルダ部材５６，５７がメイン基板アセンブリ１５（基板ケース５１）の左側および右側部分の前面側を覆って、メイン基板アセンブリ１５の前方への脱着が規制される。
【００２６】
上述のようにしてメイン基板アセンブリ１５が第１および第２ホルダ部材５６，５７に装着されたスロットマシンＳＭは、他の必要な遊技構成機構を取り付けることにより完成され、所定の動作確認が行われた後に出荷される。また、出荷されたスロットマシンＳＭは、遊技施設に搬入されて遊技島に設置される。
【００２７】
なお遊技島１００は、例えば図１１に示すように、左右に水平に延びて配設され複数台のスロットマシンＳＭを支持可能なテーブル状の島棚板１０１と、この島棚板１０１の上方にスロットマシンＳＭの高さ寸法に合わせて島棚板１０１と平行に延びる島上板１０２と、島棚板１０１の下部に左右に延びて張り渡された幕板１０３とを主体に構成され、島棚板と島上板とを繋ぐ枠板（図示せず）によってスロットマシンの外周を取りまく枠状に形成される。隣接するスロットマシンＳＭの間および上部には化粧面板が張られて島上板１０２と枠板とが目隠しされるとともに、隣接するスロットマシン間にはメダル貸し機１０４が配置され、スロットマシンＳＭの上方にはフィーバーランプと称される報知ランプ１０５が設けられている。
【００２８】
遊技島１００にスロットマシンＳＭが設置されたとき、スロットマシンＳＭが設置される空間部分を構成する島上板１０２に、スロットマシンＳＭの天板１６に形成された挿入口１６ａが近接するようになっており、遊技島１００にスロットマシンＳＭが設置されているときには、挿入口１６ａを通じて外方からメイン基板アセンブリ１５を取り出すことが不可能になる。メイン基板アセンブリ１５を第１および第２ホルダ部材５６，５７に対して着脱するには、遊技島からスロットマシンＳＭを取り出す作業が必要であり、さらには、カバー部材６５の庇部６８により挿入口１６ａが塞がれているため、メイン基板アセンブリ１５（基板ケース５１）を不正に取り外すのが極めて困難となる。
【００２９】
また、第１および第２ホルダ部材５６，５７に装着されたメイン基板アセンブリ１５について、その内部のメイン制御基板５４等の保守点検作業を行うときには、遊技島からスロットマシンＳＭを取り出して前面扉２を開いた状態で、例えばニッパ等の工具を用いて接続部材７５と係合された組（例えば、一番左側の組）のカバー側係合部７３におけるカバー部材６５との連結部７４を切断する。これにより、カバー側係合部７３とカバー部材６５とが切り離されて装着保持機構７０による係合保持が解かれるので、ベース部材６０からカバー部材６５を外して（離脱させて）キャビネットボックス１の挿入口１６ａを開放状態にすることができ、挿入口１６ａを通じて第１および第２ホルダ部材５６，５７からメイン基板アセンブリ１５を取り出して開封し、基板ケース５１の内部に収容されたメイン制御基板５４の保守点検等を行うことが可能になる。
【００３０】
前述のように、ベース側係合部７１およびカバー側係合部７３は左右に４つ並んで設けられているが、４組のベース側係合部７１およびカバー側係合部７３のうちいずれか１組（例えば、一番左側の組）のみに接続部材７５を用いて、ベース部材６０に対しカバー部材６５を装着保持している。そして、保守点検作業に際しては、接続部材７５を用いて係合された組のカバー側係合部７３における連結部７４のみが切断される。
【００３１】
メイン制御基板５４の保守点検等が完了した後は、未使用のベース側係合部７１およびカバー側係合部７３のうちいずれか１組（すなわち、一番左側以外のいずれかの組）に接続部材７５を用いて、ベース部材６０に対しカバー部材６５を装着保持するようにする。このため、本実施形態の場合には、途中において３度の保守点検が可能である。なおこのとき、ベース側係合部７１およびカバー側係合部７３と係合していた接続部材７５を（長手方向を回転軸として）回転させる等して取り外し、再利用するようにしてもよい。
【００３２】
本実施形態のスロットマシンＳＭによれば、装着保持機構７０は、ベース側係合部７１とカバー側係合部７３とを係合させることでベース部材６０にカバー部材６５が装着された状態を保持し、上述のように、ベース部材６０からカバー部材６５を外したときに当該外した痕跡が残るようになっている。そして、基板ケース５１（メイン基板アセンブリ１５）を第１および第２ホルダ部材５６，５７から取り外すには、まず、挿入口１６ａを塞ぐカバー部材６５をベース部材６０から外さなければならず、このとき、ベース部材６０からカバー部材６５を外したときにその痕跡が残るため、結果として基板ケース５１を取り外したときにその痕跡が残ることになり、基板ケース５１に対する不正行為を抑止することが可能になる。
【００３３】
また、複数組設けられたベース側係合部７１およびカバー側係合部７３のうち、ベース側係合部７１と係合したカバー側係合部７３におけるカバー部材６５との連結部７４を切断することで、ベース部材６０からカバー部材６５を外すことができるようになっており、このようにすれば、同一のベース部材６０およびカバー部材６５を使用して、基板ケース５１を複数回取り外すことができるとともに、基板ケース５１を取り外した履歴を把握することも可能になる。
【００３４】
なお、上述の実施形態において、キャビネットボックス内に基板ケース（メイン基板アセンブリ）が取り付けられたスロットマシンを例にして説明したが、これに限られるものではなく、例えば雀球遊技機等といった箱形遊技機にも本発明を適用することが可能である。
【００３５】
また、上述の実施形態において、第１および第２ホルダ部材５６，５７は、基板ケース５１の左側および右側部分の前面側を覆うように保持しているが、これに限られるものではなく、不正開放防止機構５５の前面側まで覆うようにしてもよい。このようにすれば、第１および第２ホルダ部材５６，５７に装着されたまま基板ケース５１が不正に開放されるのを防止することが可能になる。
【００３６】
また、上述の実施形態において、ベース部材６０は、ネジ６２等の固定手段を用いて背面板１９における天板１６とメイン基板アセンブリ１５との間の部分に取り付け固定されているが、これに限られるものではなく、ホルダ部材に基板ケース（メイン基板アセンブリ）が装着された状態で天板１６との間に位置するように、基板ケースと一体に形成されるようにしてもよい。
【図面の簡単な説明】
【００３７】
【図１】本発明に係るスロットマシン（箱形遊技機）の外観正面図および内部正面図である。
【図２】スロットマシンにおけるメイン基板アセンブリの近傍を示す斜視図である。
【図３】図２中の矢印III−IIIに沿った断面図である。
【図４】ベース部材の正面図である。
【図５】カバー部材の正面図である。
【図６】接続部材の側面図である。
【図７】キャビネットボックス内にメイン基板アセンブリを装着させる状態を示す斜視図である。
【図８】キャビネットボックスにベース部材を取り付ける状態を示す斜視図である。
【図９】ベース側係合部に接続部材を係合させる状態を示す斜視図である。
【図１０】ベース部材にカバー部材を装着させる状態を示す斜視図である。
【図１１】遊技島に設置された状態のスロットマシンの正面図である。
【符号の説明】
【００３８】
ＳＭ  スロットマシン（箱形遊技機）
１  キャビネットボックス（箱状本体部材）
２  前面扉（開閉部材）
１５  メイン基板アセンブリ
１６  天板（１６ａ  挿入口）
１９  背面板
５１  基板ケース
５２  ケース本体部材
５３  ケース蓋部材
５４  メイン制御基板
５６  第１ホルダ部材
５７  第２ホルダ部材
６０  ベース部材
６５  カバー部材
７０  装着保持機構
７１  ベース側係合部
７３  カバー側係合部
７４  連結部
７５  接続部材
【図１】
2009061041.tif 000003
【図２】
2009061041.tif 000004
【図３】
2009061041.tif 000005
【図４】
2009061041.tif 000006
【図５】
2009061041.tif 000007
【図６】
2009061041.tif 000008
【図７】
2009061041.tif 000009
【図８】
2009061041.tif 000010
【図９】
2009061041.tif 000011
【図１０】
2009061041.tif 000012
【図１１】
2009061041.tif 000013